(57)【要約】【課題】アカウントを共有してサービスを利用する複数ユーザに対して、異なる利用条件を設定できる管理装置、管理システム、管理方法及び管理プログラムを提供すること。【解決手段】サービスの利用条件を管理する管理装置は、サービスを利用するアカウントを認証するために、当該アカウント１つに対して互いに異なる複数のパスワード、及び当該複数のパスワードそれぞれに対して、個別利用条件を記憶する記憶部１１と、アカウントのＩＤと共に、複数のパスワードのうちいずれかの入力を受け付けたことに応じて、当該受け付けたパスワードに対応する個別利用条件を前記サービスに適用する制御部１２と、を備える。【選択図】図１
2015135569.tif 000002
【特許請求の範囲】
【請求項１】
サービスの利用条件を管理する管理装置であって、
前記サービスを利用するアカウントを認証するために、当該アカウント１つに対して互いに異なる複数のパスワード、及び当該複数のパスワードそれぞれに対して、個別利用条件を記憶する記憶部と、
前記アカウントのＩＤと共に、前記複数のパスワードのうちいずれかの入力を受け付けたことに応じて、当該受け付けたパスワードに対応する前記個別利用条件を前記サービスに適用する制御部と、を備える管理装置。
【請求項２】
前記記憶部は、前記複数のパスワードに共通の前記アカウントに対して、共通利用条件を更に記憶し、
前記制御部は、前記受け付けたパスワードに対応する前記個別利用条件及び前記共通利用条件を前記サービスに適用する請求項１に記載の管理装置。
【請求項３】
前記利用条件は、前記サービスにおける期間毎の利用金額の上限である請求項１又は請求項２に記載の管理装置。
【請求項４】
前記記憶部は、前記期間内における利用金額が前記上限に満たなかった場合、当該利用金額と前記上限との差額を、次の期間の上限に加算して記憶する請求項３に記載の管理装置。
【請求項５】
サービスを利用するユーザの端末、及び当該サービスの利用条件を管理するサーバを備えた管理システムであって、
前記サーバは、
前記サービスを利用するアカウントを認証するために、当該アカウント１つに対して互いに異なる複数のパスワード、及び当該複数のパスワードそれぞれに対して、第１の個別利用条件を記憶する第１の記憶部と、
前記端末から、前記アカウントのＩＤと共に、前記複数のパスワードのうちいずれかの入力を受け付けたことに応じて、当該受け付けたパスワードに対応する前記第１の個別利用条件を前記サービスに適用する第１の制御部と、を備える管理システム。
【請求項６】
前記端末は、
当該端末内のサービスに関する第２の個別利用条件を、前記複数のパスワードそれぞれに対して記憶する第２の記憶部と、
前記複数のパスワードのうちいずれかの入力を受け付けたことに応じて、当該受け付けたパスワードに対応する前記第２の個別利用条件を前記サービスに適用する第２の制御部と、を備える請求項５に記載の管理システム。
【請求項７】
サービスの利用条件をコンピュータが管理する管理方法であって、
前記コンピュータの記憶部は、前記サービスを利用するアカウントを認証するために、当該アカウント１つに対して互いに異なる複数のパスワード、及び当該複数のパスワードそれぞれに対して、個別利用条件を記憶し、
前記コンピュータの制御部が前記アカウントのＩＤと共に、前記複数のパスワードのうちいずれかの入力を受け付けたことに応じて、当該受け付けたパスワードに対応する前記個別利用条件を前記記憶部から抽出して前記サービスに適用する制御ステップを実行する管理方法。
【請求項８】
サービスの利用条件をコンピュータに管理させるための管理プログラムであって、
前記コンピュータの記憶部は、前記サービスを利用するアカウントを認証するために、当該アカウント１つに対して互いに異なる複数のパスワード、及び当該複数のパスワードそれぞれに対して、個別利用条件を記憶し、
前記アカウントのＩＤと共に、前記複数のパスワードのうちいずれかの入力を受け付けたことに応じて、当該受け付けたパスワードに対応する前記個別利用条件を前記記憶部から抽出して前記サービスに適用する制御ステップを前記コンピュータの制御部に実行させるための管理プログラム。
【発明の詳細な説明】
【技術分野】
【０００１】
本発明は、サービスの利用条件を管理する管理装置、管理システム、管理方法及び管理プログラムに関する。
【背景技術】
【０００２】
従来、インターネット上でサービスを提供する場合、このサービスを受けることが許可された正規のユーザであることを管理サーバにより認証することが一般的である。この認証処理では、例えば、ユーザを識別するアカウントのＩＤに対応して固有のパスワードが登録される。
【０００３】
また、ユーザの固有のパスワードに対して、先頭又は末尾に付加した制御情報により、パブリックパスワードとプライベートパスワードとを区別して、提供する情報の範囲を異ならせることが提案されている（例えば、特許文献１参照）。
【先行技術文献】
【特許文献】
【０００４】
【特許文献１】特開２０１２−２５２４２５号公報
【発明の概要】
【発明が解決しようとする課題】
【０００５】
ところで、例えば、家族内で共通のサービスを利用する場合に、利用時間又は利用金額等を個々に制限したいときは、ＩＤを分けることが考えられる。しかしながら、制限事項以外の各種設定情報が共通であれば、ＩＤは共有されることが望ましい。
【０００６】
そこで、特許文献１の技術により制御情報の入力を受け付け、制御情報毎に異なる制限を設けることもできるが、この技術は、一人のユーザが複数の制御情報を使い分けるものである。したがって、複数ユーザが別々の制御情報を利用した場合に、ユーザそれぞれが互いのパスワードを類推できてしまう。
【０００７】
本発明は、アカウントを共有してサービスを利用する複数ユーザに対して、異なる利用条件を設定できる管理装置、管理システム、管理方法及び管理プログラムを提供することを目的とする。
【課題を解決するための手段】
【０００８】
本発明に係る管理装置は、サービスの利用条件を管理する装置であって、前記サービスを利用するアカウントを認証するために、当該アカウント１つに対して互いに異なる複数のパスワード、及び当該複数のパスワードそれぞれに対して、個別利用条件を記憶する記憶部と、前記アカウントのＩＤと共に、前記複数のパスワードのうちいずれかの入力を受け付けたことに応じて、当該受け付けたパスワードに対応する前記個別利用条件を前記サービスに適用する制御部と、を備える。
【０００９】
前記記憶部は、前記複数のパスワードに共通の前記アカウントに対して、共通利用条件を更に記憶し、前記制御部は、前記受け付けたパスワードに対応する前記個別利用条件及び前記共通利用条件を前記サービスに適用してもよい。
【００１０】
前記利用条件は、前記サービスにおける期間毎の利用金額の上限でもよい。
【００１１】
前記記憶部は、前記期間内における利用金額が前記上限に満たなかった場合、当該利用金額と前記上限との差額を、次の期間の上限に加算して記憶してもよい。
【００１２】
本発明に係る管理システムは、サービスを利用するユーザの端末、及び当該サービスの利用条件を管理するサーバを備えたシステムであって、前記サーバは、前記サービスを利用するアカウントを認証するために、当該アカウント１つに対して互いに異なる複数のパスワード、及び当該複数のパスワードそれぞれに対して、第１の個別利用条件を記憶する第１の記憶部と、前記端末から、前記アカウントのＩＤと共に、前記複数のパスワードのうちいずれかの入力を受け付けたことに応じて、当該受け付けたパスワードに対応する前記第１の個別利用条件を前記サービスに適用する第１の制御部と、を備える。
【００１３】
前記端末は、当該端末内の機能に関する第２の個別利用条件を、前記複数のパスワードそれぞれに対して記憶する第２の記憶部と、前記複数のパスワードのうちいずれかの入力を受け付けたことに応じて、当該受け付けたパスワードに対応する前記第２の個別利用条件を前記機能に適用する第２の制御部と、を備えてもよい。
【００１４】
本発明に係る管理方法は、サービスの利用条件をコンピュータが管理する方法であって、前記コンピュータの記憶部は、前記サービスを利用するアカウントを認証するために、当該アカウント１つに対して互いに異なる複数のパスワード、及び当該複数のパスワードそれぞれに対して、個別利用条件を記憶し、前記コンピュータの制御部が前記アカウントのＩＤと共に、前記複数のパスワードのうちいずれかの入力を受け付けたことに応じて、当該受け付けたパスワードに対応する前記個別利用条件を前記記憶部から抽出して前記サービスに適用する制御ステップを実行する。
【００１５】
本発明に係る管理プログラムは、サービスの利用条件をコンピュータに管理させるためのプログラムであって、前記コンピュータの記憶部は、前記サービスを利用するアカウントを認証するために、当該アカウント１つに対して互いに異なる複数のパスワード、及び当該複数のパスワードそれぞれに対して、個別利用条件を記憶し、前記アカウントのＩＤと共に、前記複数のパスワードのうちいずれかの入力を受け付けたことに応じて、当該受け付けたパスワードに対応する前記個別利用条件を前記記憶部から抽出して前記サービスに適用する制御ステップを前記コンピュータの制御部に実行させる。
【発明の効果】
【００１６】
本発明によれば、アカウントを共有してサービスを利用する複数ユーザに対して、異なる利用条件を設定できる。
【図面の簡単な説明】
【００１７】
【図１】実施形態に係る管理サーバの機能構成を示すブロック図である。
【図２】実施形態に係る個別管理テーブルの一例を示す図である。
【図３】実施形態に係る共通管理テーブルの一例を示す図である。
【図４】実施形態に係る処理を示すフローチャートである。
【発明を実施するための形態】
【００１８】
以下、本発明の実施形態の一例について説明する。
本実施形態の管理装置としての管理サーバ１は、ネットワークを介して端末２にサービスを提供する際に、ユーザ認証を行うと共に、ユーザ毎のサービスの利用条件を管理する。
【００１９】
サービスの利用条件とは、例えば、コンテンツの利用額又は利用時間等の制限、アプリケーションの使用制限、アクセス可能サイトの制限、通話の利用制限、設定情報の参照又は変更等の権限等、ユーザがサービスを利用する際の制限である。
以下、本実施形態では一例として、利用条件は、サービスにおける期間毎の利用金額の上限であるものとして説明する。
【００２０】
図１は、本実施形態に係る管理サーバ１の機能構成を示すブロック図である。
管理サーバ１は、記憶部１１と、制御部１２と、通信部１３とを備える。
【００２１】
記憶部１１は、サービスを利用するアカウントを認証するために、アカウント１つに対して互いに異なる複数のパスワードを記憶する。さらに、記憶部１１は、これら複数のパスワードそれぞれに対して、個別利用条件を記憶する。
【００２２】
図２は、本実施形態に係る記憶部１１に格納される個別管理テーブルの一例を示す図である。
個別管理テーブルには、アカウントを識別する１つのＩＤ（例えば、「ａｂｃｄ」）と、複数のパスワード（例えば、「５９６３」及び「０２１３」）とが対応付けて記憶されている。
【００２３】
各パスワードには、対応する個別利用条件が設定されており、認証されたパスワードに応じて、対応する個別利用条件が抽出される。
例えば、親子で１つのＩＤを共有する場合、親はパスワード「５９６３」を用いて制限なくサービスを利用できるが、子はパスワード「０２１３」を用いることで、「月額上限５００円」という制限が適用される。この場合、子は、親のパスワードを知らない限り、決済条件内での利用に制限される。
【００２４】
記憶部１１は、複数のパスワードに共通のアカウントのＩＤに対して、共通利用条件を更に記憶する。この共通利用条件は、個別利用条件と共に、又は同種の条件の場合には、より厳しい条件が優先して適用されることとしてよい。
【００２５】
図３は、本実施形態に係る記憶部１１に格納される共通管理テーブルの一例を示す図である。
共通管理テーブルには、アカウントを識別する１つのＩＤ（例えば、「ａｂｃｄ」）に対して共通利用条件が設定されており、認証されたＩＤに応じて、対応する共通利用条件が抽出される。
【００２６】
例えば、ＩＤ「ａｂｃｄ」及びパスワード「５９６３」で認証された場合、個別利用条件「利用制限なし」よりも条件が厳しい共通利用条件「月額上限１００００円」が適用される。また、ＩＤ「ａｂｃｄ」及びパスワード「０２１３」で認証された場合、共通利用条件「月額上限１００００円」よりも条件が厳しい個別利用条件「月額上限５００円」が適用される。
【００２７】
また、記憶部１１は、期間内（例えば、１ヶ月）における実際の利用金額が利用条件で設定された上限に満たなかった場合、この利用金額と上限との差額を、次の期間の上限に加算して記憶する。
具体的には、記憶部１１は、例えば、月別の利用金額の実績を記憶すると共に、利用条件により適用された上限額又は前月からの繰越し分が加算された上限額を記憶する。
【００２８】
なお、前述の個別利用条件及び共通利用条件は、複数設定されてもよい。また、設定のない利用条件は、制限がないものとして扱うこととしてよい。
【００２９】
制御部１２は、アカウントのＩＤと共に、複数のパスワードのうちいずれかの入力を受け付けたことに応じて、この受け付けたパスワードに対応する個別利用条件及び共通利用条件を、提供するサービスに適用する。
【００３０】
通信部１３は、ネットワークを介して端末２とデータ通信を行う。通信部１３は、端末２からサービス要求及び認証情報（ＩＤ及びパスワード）を受信すると、これらのデータを制御部１２へ通知し、制御部１２における認証結果を端末２へ送信する。また、端末２のユーザが認証された場合、通信部１３は、制御部１２からの指令に基づいて、コンテンツデータを端末２へ送信する。
【００３１】
図４は、本実施形態に係る管理サーバ１により実行される処理を示すフローチャートである。
【００３２】
ステップＳ１において、管理サーバ１は、端末２から所定のサービスに関するコンテンツの利用要求を受信する。
【００３３】
ステップＳ２において、管理サーバ１は、端末２から認証情報としてＩＤ及びパスワードを受信し、ステップＳ１で指定されたコンテンツの取得を許可するか否かの認証要求を受け付ける。
【００３４】
ステップＳ３において、管理サーバ１は、ステップＳ２で受信したＩＤ及びパスワードの組み合わせが正しいか否か、すなわち管理テーブルに登録されている組み合わせか否かを判定する。この判定がＹＥＳの場合、処理はステップＳ４に移り、判定がＮＯの場合、管理サーバ１は、端末２へエラー通知を行い、処理は終了する。
【００３５】
ステップＳ４において、管理サーバ１は、ステップＳ３で認証されたＩＤ及びパスワードの組み合わせに対応する個別利用条件及び共通利用条件を、管理テーブルから抽出する。
【００３６】
ステップＳ５において、管理サーバ１は、サービスの利用要求がステップＳ４で抽出された個別利用条件及び共通利用条件の範囲内であるか否かを判定する。この判定がＹＥＳの場合、処理はステップＳ６に移り、判定がＮＯの場合、管理サーバ１は、端末２へ利用制限がある旨のエラー通知を行い、処理は終了する。
【００３７】
ステップＳ６において、管理サーバ１は、要求されたコンテンツを利用条件内で提供可能と判断し、このコンテンツを端末２へ提供する。
【００３８】
本実施形態によれば、管理サーバ１は、１つのＩＤに対して認証可能なパスワードを複数設け、パスワード毎にサービスの個別利用条件を記憶する。したがって、管理サーバ１は、アカウントを共有してサービスを利用する複数ユーザに対して、異なる利用条件を設定できる。
また、管理サーバ１は、ＩＤ毎に複数のパスワードに共通する共通利用条件を記憶するので、複数ユーザに共通の利用条件を、個別利用条件とは別に効率よく管理できる。
【００３９】
管理サーバ１は、例えば、期間毎の利用金額の上限等、決済条件を管理することにより、家族に対するネット上の小遣い額を設定できる。このとき、ＩＤが共通であることから、ブックマーク等の各種設定は共通化され、利用方法及び利便性はそのままに、決済条件のみをユーザ毎に適用できる。
このとき、管理サーバ１は、期間内における利用金額が上限に満たなかった場合、この利用金額と上限との差額を、次の期間の上限に加算し、利便性を向上できる。
【００４０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４１】
前述の実施形態では、端末２におけるサービスの利用条件を管理サーバ１により管理する場合を説明したが、本発明はこれには限られない。
例えば、個別利用条件は、管理装置としても機能する端末２により管理されていてもよい。また、例えば利用金額上限は管理サーバ１で管理され、その他の条件は端末２で管理される等、分散されていてもよい。その他の条件は、例えば、本発明に係るサービスとしてのアプリケーションの利用制限を含み、本人以外の家族に別パスワードを教えたり、他者のいる環境では別パスワードを使用したりすることにより、特定のアプリケーションに起動制限を設けることができる。
【００４２】
管理サーバ１による管理方法は、ソフトウェアにより実現される。ソフトウェアによって実現される場合には、このソフトウェアを構成するプログラムが、情報処理装置（管理サーバ１）にインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【符号の説明】
【００４３】
１  管理サーバ
２  端末
１１  記憶部
１２  制御部
１３  通信部
【図１】
2015135569.tif 000003
【図２】
2015135569.tif 000004
【図３】
2015135569.tif 000005
【図４】
2015135569.tif 000006